(57)【要約】【課題】  遮蔽板の着脱操作が容易で安価であり防塵機能を備え騒音を発生させない。【解決手段】  ローダーシャーシ２の開放上面の横桁１２よりも後側を覆う遮蔽板２２に対向してローダーシャーシ２の一方側板２Ａに前後一対のフック部２８が所定間隔をおいて一体突設されると共に、該各フック部２８に左右方向ｅ，ｆに沿って係脱可能に係合する一対の係合枠２９が遮蔽板２２の一側縁に一体突設され、ローダーシャーシ２の一方側板２Ａに一体突設した第１突起部３２に係脱可能に係合する横長孔３４が遮蔽板２２の一側縁に左右方向ｅ，ｆに沿って貫設され、ローダーシャーシ２の他方側板２Ｂに一体突設した第２突起部３７に係脱可能に係合する縦長孔３９が遮蔽板２２の他側縁に前後方向ａ，ｂに沿って貫設され、遮蔽板２２の他側縁に貫設したビス挿通孔を通ってローダーシャーシ２の他方側板２Ｂに形成したねじ孔にビス４５がねじ込まれている。【選択図】        図１
2009272011.tif 000002
【特許請求の範囲】
【請求項１】
光ピックアップとターンテーブルとを前後方向に沿って内部に配置したローダーシャー
シの両側板間に前後方向とは直交する左右方向に沿って横桁が架設され、該横桁に一定範
囲内昇降可能に配置したクランパがターンテーブルに対して上下方向に沿って対向され、
前記ローダーシャーシの開放上面の横桁よりも後側が遮蔽板により覆われており、前記ク
ランパとターンテーブルとでディスクをクランプし、該ターンテーブルにより高速回転さ
せたディスクに記録されている情報を光ピックアップで読み取るようにしたディスク装置
において、前記遮蔽板が合成樹脂からなり、ローダーシャーシの一方側板に前後一対のフ
ック部が所定間隔をおいて一体突設されると共に、該各フック部に左右方向に沿って係脱
可能に係合する一対の係合枠が遮蔽板の一側縁に一体突設され、ローダーシャーシの一方
側板に第１突起部が一体突設されると共に、該第１突起部に係脱可能に係合する横長孔が
遮蔽板の一側縁に左右方向に沿って貫設され、ローダーシャーシの他方側板に第２突起部
が一体突設されると共に、該第２突起部に係脱可能に係合する縦長孔が遮蔽板の他側縁に
前後方向に沿って貫設され、遮蔽板の他側縁に縦長孔から所定間隔をおいて貫設したビス
挿通孔を通ってローダーシャーシの他方側板に形成したねじ孔にビスがねじ込まれている
ことを特徴とするディスク装置。
【請求項２】
前記第２突起部の外径が縦長孔の内径と同一またはわずかに大きく設定されており、そ
の縦長孔に対して第２突起部を軽圧入させることを特徴とする請求項１に記載のディスク
装置。
【請求項３】
前記ローダーシャーシの他方側板に、ねじ孔に隣接して第３突起部が一体突設され、該
第３突起部に係脱可能に係合する円形孔が遮蔽板の他側縁に貫設されていることを特徴と
する請求項１または２に記載のディスク装置。
【発明の詳細な説明】
【技術分野】
【０００１】
本発明は、ディスク装置（例えばＤＶＤレコーダやＤＶＤプレーヤなど）に関し、特に
、遮蔽板の着脱操作が容易で安価であり防塵機能を備えディスク回転時に不快な騒音を発
生させないようにしたものである。
【背景技術】
【０００２】
従来、ディスク装置の一例として図９〜図１１に示すものがあり、図９は同平面図、図
１０は同側面図、図１１は同縦断面図である。
【０００３】
図９〜図１１に示すように、ディスクＤ載置用トレイ１を前後方向ａ，ｂに移動可能に
支持する合成樹脂製ローダーシャーシ２内に枢支軸３を中心に上下動ｃ，ｄ可能なトラバ
ースシャーシ４が配置され、該トラバースシャーシ４上の後方にガイドレール５を介して
対物レンズＯＬ付き光ピックアップ６が移動可能に配置されると共に、そのトラバースシ
ャーシ４上の前方にターンテーブル７付きスピンドルモータ８が配置され、ローダーシャ
ーシ２の前部にカムスライダ９が前後方向ａ，ｂとは直交する左右方向ｅ，ｆに移動可能
に配置され、該カムスライダ９のカム溝１０ａとトラバースシャーシ４の前部に突設した
カム軸１０ｂとからなるカム機構１０により該トラバースシャーシ４とカムスライダ９と
が連動連結されている。
【０００４】
前記ローダーシャーシ２の両側板２Ａ，２Ｂ間に左右方向ｅ，ｆに沿って横桁１２が架
設され、該横桁１２に一定範囲内昇降可能に配置したクランパ１３がターンテーブル７に
対向して上下方向ｇ，ｈに沿って対向され、ローダーシャーシ２の開放上面の横桁１２よ
りも後側が遮蔽板１５で覆われている。
【０００５】
情報読取手順を説明すると、図１１に実線で示すプレイモードでは、ディスクＤをクラ
ンパ１３とターンテーブル７とでクランプし、スピンドルモータ８によりターンテーブル
７を介してディスクＤを高速回転させ、光ピックアップ６の対物レンズＯＬからレーザ光
をディスクＤに投射し、その反射光を光ピックアップ６を通して受光し、その受光信号に
基づいてディスクＤに記録されている映像情報の再生や録画を行う。
【０００６】
アンローディング信号が入力されると、スピンドルモータ８の駆動を停止させ、光ピッ
クアップ６をターンテーブル７に接近させ、カムスライダ９を矢印ｅ（またはｆ）方向に
スライドさせることにより、カム機構１０を介してトラバースシャーシ４を枢支軸３回り
で下動ｄさせ（図１１仮想線参照）、これにより、ディスクＤをトレイ１上に載置し、該
トレイ１を前方ａへ移動させ（図１１仮想線参照）、そのトレイ１上のディスクＤを取り
外したり新しいディスクＤを載置した後、ローディング信号に基づいて上記とは逆の手順
でプレイモードに戻す。
【０００７】
このプレイモードでは、遮蔽板１５により対物レンズＯＬから投射されるレーザ光が外
部に漏れるのを遮断すると共に、その遮蔽板１５で塵埃がローダーシャーシ２内に侵入す
るのを阻止する。
【０００８】
図９〜図１１に示すように、前記遮蔽板１５は、金属板により成形され、両側板２Ａ，
２Ｂ間に載置される遮蔽板本体１５ａと、該遮蔽板本体１５ａの両側縁から直角に下向き
に折り曲げられた一対の縁板１５ｂとを有し、該各縁板１５ｂの両端近傍から遮蔽板本体
１５ａにかけて複数（この例では４つ）の嵌合孔１６が貫設され、該各嵌合孔１６の外側
縁から上方に延びる舌片１７が各縁板１５ｂと面一状に形成され、その各嵌合孔１６に対
向してローダーシャーシ２の両側板２Ａ，２Ｂにロック杆１８が一体突設され、該各ロッ
ク杆１８の前後両側面に沿って側板２Ａ，２Ｂにスリット１９を形成することにより、そ
の各ロック杆１８が弾性変位可能に形成され、各ロック杆１８の上端に抜止フック１８ａ
が外向きに一体突設されている。なお、図１１中、２０は遮蔽板本体１５ａの前端縁中央
から折り曲げられて前方に延びるクランパ抜止板である。
【０００９】
遮蔽板１５の組立手順を説明すると、遮蔽板本体１５ａを把持してローダーシャーシ２
に被せることにより、各縁板１５ｂ及び各ロック杆１８を弾性変位させて、各嵌合孔１６
を各ロック杆１８に嵌合させ、これにより、各舌片１７を各抜止フック１８ａの下面に係
合させ、遮蔽板１５をローダーシャーシ２に係止する。なお、関連する技術として特許文
献１に記載したものがある。
【特許文献１】特開２００７−２５００１６号公報
【発明の開示】
【発明が解決しようとする課題】
【００１０】
上記従来の構成では、遮蔽板１５をローダーシャーシ２に係止する際に、該遮蔽板１５
の各縁板１５ｂ及び各ロック杆１８を弾性変位させて、各嵌合孔１６を各ロック杆１８に
係合させるのに手間がかかって面倒である。
【００１１】
また、各抜止フック１８ａで遮蔽板１５がローダーシャーシ２から外れないようにして
いるだけであるから、プレイモードでスピンドルモータ８を高速駆動することにより生じ
た回転力がローダーシャーシ２を介して遮蔽板１５に伝わることにより、その遮蔽板１５
が微妙に振動して騒音を発生させ、ユーザに不快感を与える。
【００１２】
更に、遮蔽板１５に比較大きな複数の嵌合孔１６が形成されると共に、ローダーシャー
シ２の側板２Ａ，２Ｂにも比較的長い複数のスリット１９が形成されているから、その各
嵌合孔１６及び各スリット１９から塵埃がローダーシャーシ２内に侵入して誤動作の原因
になっている。
【００１３】
上記問題点を解消するために、複数のビスで遮蔽板１５の両側縁をローダーシャーシ２
の側板２Ａ，２Ｂに係止することが考えられるが、これでは、ビスの本数が多いから、そ
のねじ込み操作に手間がかかると共に、コストアップになる。
【００１４】
本発明は、上記従来の欠点に鑑み、遮蔽板の着脱操作が容易で安価であり防塵機能を備
えディスク回転時に不快な騒音を発生させないようにしたディスク装置を提供することを
目的としている。
【課題を解決するための手段】
【００１５】
上記目的を達成するため、請求項１に記載の発明は、光ピックアップとターンテーブル
とを前後方向に沿って内部に配置したローダーシャーシの両側板間に前後方向とは直交す
る左右方向に沿って横桁が架設され、該横桁に一定範囲内昇降可能に配置したクランパが
ターンテーブルに対して上下方向に沿って対向され、前記ローダーシャーシの開放上面の
横桁よりも後側が遮蔽板により覆われており、前記クランパとターンテーブルとでディス
クをクランプし、該ターンテーブルにより高速回転させたディスクに記録されている情報
を光ピックアップで読み取るようにしたディスク装置において、前記遮蔽板が合成樹脂か
らなり、ローダーシャーシの一方側板に前後一対のフック部が所定間隔をおいて一体突設
されると共に、該各フック部に左右方向に沿って係脱可能に係合する一対の係合枠が遮蔽
板の一側縁に一体突設され、ローダーシャーシの一方側板に第１突起部が一体突設される
と共に、該第１突起部に係脱可能に係合する横長孔が遮蔽板の一側縁に左右方向に沿って
貫設され、ローダーシャーシの他方側板に第２突起部が一体突設されると共に、該第２突
起部に係脱可能に係合する縦長孔が遮蔽板の他側縁に前後方向に沿って貫設され、遮蔽板
の他側縁に縦長孔から所定間隔をおいて貫設したビス挿通孔を通ってローダーシャーシの
他方側板に形成したねじ孔にビスがねじ込まれていることを特徴としている。
【００１６】
請求項２に記載の発明は、請求項１に記載の発明において、前記第２突起部の外径が縦
長孔の内径と同一またはわずかに大きく設定されており、その縦長孔に対して第２突起部
を軽圧入させることを特徴としている。
【００１７】
請求項３に記載の発明は、請求項１または２に記載の発明において、前記ローダーシャ
ーシの他方側板に、ねじ孔に隣接して第３突起部が一体突設され、該第３突起部に係脱可
能に係合する円形孔が遮蔽板の他側縁に貫設されていることを特徴としている。
【発明の効果】
【００１８】
請求項１に記載の発明によれば、遮蔽板をスライドさせて該遮蔽板の係合枠をローダー
シャーシ２の各フック部に係合させると共に、その遮蔽板の横長孔をローダーシャーシの
第１突起部に係合させ、前記遮蔽板の縦長孔をローダーシャーシの第２突起部に係合させ
ると共に、ビスを遮蔽板のビス挿通孔を通ってローダーシャーシのねじ孔にねじ込むだけ
で、遮蔽板をローダーシャーシに係止することができ、その遮蔽板の着脱操作を容易に行
うことができる。
【００１９】
また、前記各係合枠を各フック部に係合させることにより遮蔽板が上下方向に沿って振
動されるのを阻止し、横長孔を第１突起部に係合させることにより遮蔽板が前後方向に沿
って振動されるのを阻止し、縦長孔を第２突起部に係合させることにより遮蔽板が左右方
向に沿って振動されるのを阻止し、ビスをねじ孔にねじ込むことにより遮蔽板が上下方向
に沿って振動されるのを阻止しているから、ディスクを高速回転させることにより生じた
振動がローダーシャーシを介して遮蔽板に伝わっても、その遮蔽板が従来のように振動し
て騒音を発生させることがなく、ユーザに不快感を与えず、商品価値が高い。
【００２０】
更に、ローダーシャーシの開放上面の横桁よりも後側が遮蔽板で完全に塞がれており、
防塵機能に優れている。
【００２１】
また更に、遮蔽板をローダーシャーシに係止するのに必要なビスの数は１本だけであり
、その本数が少ないから、経済的である。
【００２２】
請求項２に記載の発明によれば、縦長孔に対して第２突起部を軽圧入させているので、
遮蔽板の縦長孔の近傍部分が左右方向だけでなく上下方向に沿っても振動されるのを確実
に阻止することができる。
【００２３】
請求項３に記載の発明によれば、遮蔽板の円形孔をローダーシャーシの第３突起部に係
合させているので、ビス挿通孔をねじ孔に同心状に位置決めすることができると共に、遮
蔽板がビス回りで水平方向に振動されるのを確実に阻止することができる。
【発明を実施するための最良の形態】
【００２４】
図１〜図８は本発明の実施の一形態であるディスク装置を示すものであり、図１は同平
面図、図２は同縦断面図、図３（ａ）は同第１係止機構を示す斜視図、図３（ｂ）は同第
１係止機構の分解斜視図、図４（ａ）は同第１係止機構の横断面図、図４（ｂ）はＡ−Ａ
矢視図、図５（ａ）は同第２係止機構の斜視図、図５（ｂ）は同第２係止機構の横断面図
、図６（ａ）は同第３係止機構の斜視図、図６（ｂ）は同第３係止機構の横断面図、図７
（ａ）は同第４係止機構の斜視図、図７（ｂ）は同第４係止機構の縦断面図、図８（ａ）
及び（ｂ）は遮蔽板の組立手順を示す横断面図である。
【００２５】
図１及び図２に示すように、合成樹脂からなる遮蔽板２２の一側縁が第１及び第２の係
止機構２３，２４によりローダーシャーシ２に係止されると共に、該遮蔽板２２の他側縁
が第３及び第４の係止機構２５，２６によりローダーシャーシ２に係止されている。なお
、横桁１２がローダーシャーシ２の前端縁まで延ばされており、その横桁１２と遮蔽板２
２とでローダーシャーシ２の開放上面が全面的に塞がれている。上記以外の構成は図９〜
図１１に示す構成とほぼ同じであるから、同一部分に同一符号を付してその説明を省略す
る。
【００２６】
前記第１係止機構２３を説明すると、図３及び図４に示すように、ローダーシャーシ２
の一方側板２Ａに所定間隔をおいて一体突設された前後一対のフック部２８と、該各フッ
ク部２８に対向して遮蔽板２２の一側縁両端に一体突設された係合枠２９とからなってい
る。
【００２７】
前記フック部２８は、平面視矩形状であって、その上面２８ａが一方側板２Ａの上面２
ａと面一状に形成され、左右方向ｅ，ｆに沿って外方に延ばされている。
【００２８】
前記係合枠２９は、遮蔽板２２の一側縁から下方に延びる前後一対の縦杆部２９ａと、
該両縦杆部２９ａの下端間に一体架設した横杆部２９ｂとからなり、両縦杆部２９ａ間の
間隔ｄ１がフック部２８の横幅ｄ２と同一またはわずかに大きく設定され（ｄ１≧ｄ２）
、横杆部２９ｂの上面から遮蔽板２２の下面までの間隔ｈ１がフック部２８の厚みｈ２と
同一またはわずかに小さく設定されている（ｈ１≦ｈ２）。
【００２９】
上記構成において、図４（ａ）に二点鎖線で示すように、ローダーシャーシ２の上方か
ら遮蔽板２２を下降させて、該遮蔽板２２をローダーシャーシ２の上面２ａに当接させる
ことにより、図４（ａ）に一点鎖線で示すように、各係合枠２９を各フック部２８に対向
させ、その遮蔽板２２を矢印ｅ方向にスライドさせるだけで、図４（ａ）及び（ｂ）に実
線で示すように、各フック部２８に各係合枠２９を係合させて、遮蔽板２２の一側縁をロ
ーダーシャーシ２の一方側板２Ａの上面２ａに当接させて、その遮蔽板２２が上下方向ｇ
，ｈに沿って振動されないようにする。
【００３０】
前記第２係止機構２４を説明すると、図５に示すように、ローダーシャーシ２の一方側
板２Ａの外側面における前記両フック部２８間に受台部３１が一体突設されると共に、該
受台部３１の上面３１ａが一方側板２Ａの上面２ａと面一またはわずかに下方に位置決め
され、その上面３１ａに円柱状第１突起部３２が一体突設され、該第１突起部３２に対向
して遮蔽板２２の一側縁に一体突設した受棚部３３に横長孔３４が左右方向ｅ，ｆに沿っ
て貫設され、その横長孔３４の幅ｔ１が第１突起部３２の外径ｔ２と同一またはわずかに
大きく設定されている（ｔ１≧ｔ２）。
【００３１】
上記構成において、図５（ａ）に二点鎖線で示すように、ローダーシャーシ２の上方か
ら遮蔽板２２を下降させて、該遮蔽板２２をローダーシャーシ２の上面２ａに当接させる
ことにより、図５（ｂ）に二点鎖線で示すように、横長孔３４を第１突起部３２に係合さ
せ、遮蔽板２２を矢印ｅ方向にスライドさせたときに、図５（ａ）及び（ｂ）に実線で示
すように、該遮蔽板２２の矢印ｅ方向へのスライドを許容し、その遮蔽板２２が前後方向
ａ，ｂに沿って振動されないようにする。
【００３２】
前記第３係止機構２５を説明すると、図６に示すように、遮蔽板２２の他側縁後部に対
向してローダーシャーシ２の他方側板２Ｂの外周面に受台部３６が一体突設されると共に
、該受台部３６の上面３６ａに円柱状第２突起部３７が一体突設され、該第２突起部３７
に対向して遮蔽板２２の他側縁に一体突設した受棚部３８に縦長孔３９が前後方向ａ，ｂ
に沿って貫設されている。
【００３３】
上記構成において、図６（ａ）に二点鎖線で示すように、ローダーシャーシ２の上方か
ら遮蔽板２２を下降させて、該遮蔽板２２をローダーシャーシ２の上面２ａに当接させる
ことにより、図６（ｂ）に実線で示すように、縦長孔３９を第２突起部３７に係合させ、
遮蔽板２２が左右方向ｅ，ｆに沿って振動されないようにする。
【００３４】
前記第２突起部３７の外径ｋ１が縦長孔３９の内径ｋ２と同一またはわずかに大きく設
定されることにより（ｋ１≧ｋ２）、その縦長孔３９に対して第２突起部３７を軽圧入さ
せることが好ましい。具体的寸法の一例を示すと、ｋ１＝２ｍｍ、ｋ２＝１．８〜１．９
ｍｍである。これによって、遮蔽板２２の他側縁後部が上下方向ｇ，ｈに沿って振動され
ないようにする。
【００３５】
前記第４係止機構２６を説明すると、図７に示すように、遮蔽板２２の他側縁前部に対
向してローダーシャーシ２の他方側板２Ｂの外周面に受台部４１が一体突設されると共に
、該受台部４１上面４１ａにねじ孔４２が形成され、その受台部４１に対向して遮蔽板２
２の他側縁に一体突設した受棚部４３にビス挿通孔４４が貫設されており、該ビス挿通孔
４４を通ってねじ孔４２にビス４５をねじ込むことにより、遮蔽板２２が上下方向ｇ，ｈ
に沿って振動されないようにする。
【００３６】
図７に示すように、前記受台部４１の上面４１ａのねじ孔４２に隣接する前側に円柱状
第３突起部４６が一体突設され、該第３突起部４６に係脱可能に係合する円形孔４７が受
棚部４３に貫設されており、ビス挿通孔４４をねじ孔４２に同心状に位置決めすると共に
、遮蔽板２２がビス４５回りで水平方向に振動されないようにする。
【００３７】
遮蔽板２２の組立手順を説明すると、図８（ａ）に示すように、遮蔽板２２の一側縁を
ローダーシャーシ２の上面２ａに当接させることにより、各係合枠２９を各フック部２８
に対向させ、それと同時に、横長孔３４を第１突起部３２に係合させ〔図５（ｂ）仮想線
参照〕、遮蔽板２２を矢印ｅ方向にスライドさせる。これにより、図８（ｂ）に示すよう
に、各フック部２８に各係合枠２９を係合させ、遮蔽板２２の一側縁をローダーシャーシ
２の一方側板２Ａに係止する。それと同時に、遮蔽板２２の他側縁をローダーシャーシ２
の他方側板２Ｂの上面２ａに当接させて、縦長孔３９を第２突起部３７に係合させ〔図６
（ａ）実線参照〕、円形孔４７を第３突起部４６に係合させる〔図７（ａ）実線参照〕。
続いて、ビス４５をビス挿通孔４４を通ってねじ孔４２にねじ込むことにより、遮蔽板２
２の他側縁をローダーシャーシ２の他方側板２Ｂに係止する〔図７（ａ）実線参照〕。
【００３８】
上記構成によれば、遮蔽板２２を矢印ｅ方向にスライドさせて該遮蔽板２２の係合枠２
９をローダーシャーシ２のフック部２８に係合させると共に、その遮蔽板２２の横長孔３
４をローダーシャーシ２の第１突起部３２に係合させ、前記遮蔽板２２の縦長孔３９をロ
ーダーシャーシ２の第２突起部３７に係合させると共に、ビス４５を遮蔽板２２のビス挿
通孔４４を通ってローダーシャーシ２のねじ孔４２にねじ込むだけで、遮蔽板２２をロー
ダーシャーシ２に係止することができ、その遮蔽板２２の着脱操作を容易に行うことがで
きる。
【００３９】
また、各係合枠２９を各フック部２８に係合させることにより遮蔽板２２が上下方向ｇ
，ｈに沿って振動されるのを阻止し、横長孔３４を第１突起部３２に係合させることによ
り遮蔽板２２が前後方向ａ，ｂに沿って振動されるのを阻止し、縦長孔３９を第２突起部
３７に係合させることにより遮蔽板２２が左右方向ｅ，ｆに沿って振動されるのを阻止し
、ビス４５をねじ孔４２にねじ込むことにより遮蔽板２２が上下方向ｇ，ｈに沿って振動
されるのを阻止しているから、ディスクＤを高速回転させることにより生じた振動がロー
ダーシャーシ２を介して遮蔽板２２に伝わっても、その遮蔽板２２が従来のように振動し
て騒音を発生させることがなく、ユーザに不快感を与えず、商品価値が高い。
【００４０】
更に、ローダーシャーシ２の開放上面の横桁１２よりも後側が遮蔽板２２で完全に塞が
れており、防塵機能に優れている。
【００４１】
また更に、遮蔽板２２をローダーシャーシ２に係止するのに必要なビス４５の数は１本
だけであり、その本数が少ないから、経済的である。
【００４２】
そして、縦長孔３９に対して第２突起部３７を軽圧入させているので、遮蔽板２２の縦
長孔３９の近傍部分が左右方向ｅ，ｆだけでなく上下方向ｇ，ｈに沿っても振動されるの
を確実に阻止することができる。
【００４３】
しかも、遮蔽板２２の円形孔４７をローダーシャーシ２の第３突起部４６に係合させて
いるので、ビス挿通孔４４をねじ孔４２に同心状に位置決めすることができると共に、遮
蔽板２２がビス４５回りで水平方向に振動されるのを確実に阻止することができる。
【図面の簡単な説明】
【００４４】
【図１】本発明の実施の一形態であるディスク装置を示す平面図である。
【図２】同縦断面図である。
【図３】（ａ）は同第１係止機構を示す斜視図、（ｂ）は同第１係止機構の分解斜視図である。
【図４】（ａ）は同第１係止機構の横断面図、（ｂ）はＡ−Ａ矢視図である。
【図５】（ａ）は同第２係止機構の斜視図、（ｂ）は同第２係止機構の横断面図である。
【図６】（ａ）は同第３係止機構の斜視図、（ｂ）は同第３係止機構の横断面図である。
【図７】（ａ）は同第４係止機構の斜視図、（ｂ）は同第４係止機構の縦断面図である。
【図８】（ａ）及び（ｂ）は遮蔽板の組立手順を示す横断面図である。
【図９】従来例を示す平面図である。
【図１０】同側面図である。
【図１１】同縦断面図である。
【符号の説明】
【００４５】
２          ローダーシャーシ
２Ａ，２Ｂ  ローダーシャーシの側板
６          光ピックアップ
７          ターンテーブル
１２        横桁
１３        クランパ
２２        遮蔽板
２８        フック部
２９        係合枠
３２        第１突起部
３４        横長孔
３７        第２突起部
３９        縦長孔
４２        ねじ孔
４４        ビス挿通孔
４５        ビス
４６        第３突起部
４７        円形孔
Ｄ          ディスク
ａ，ｂ      前後方向
ｅ，ｆ      左右方向
ｇ，ｈ      上下方向
ｋ１        第２突起部の外径
ｋ２        縦長孔の内径
【図１】
2009272011.tif 000003
【図２】
2009272011.tif 000004
【図３】
2009272011.tif 000005
【図４】
2009272011.tif 000006
【図５】
2009272011.tif 000007
【図６】
2009272011.tif 000008
【図７】
2009272011.tif 000009
【図８】
2009272011.tif 000010
【図９】
2009272011.tif 000011
【図１１】
2009272011.tif 000012
【図１０】
2009272011.tif 000013